(57)【要約】【目的】冷却水槽へ冷却水を補給時に電気部品へ水がかかることを防止して、冷却水の補給を容易に行うことができる飲料ディスペンサを提供することを目的とする。【構成】断熱壁１２ａ上端部に、冷却水を攪拌する攪拌羽根を備えたアジテータモータ２１やエバポレータパイプ１３の表面に着氷した氷塊を所定の厚さに維持して冷却水１１の温度を略０℃に保つアイスバンク制御を行う電気部品２２が配設された取付台２３ａがビス２４で固定され、取付台２３ａの一端をアジテータモータ２１側に鋭角に折り曲げ傾斜させて上方に延長して防水板２３を構成する。【選択図】        図２
2007253983.tif 000002
【特許請求の範囲】
【請求項１】
冷却水槽に貯留している冷却水を冷却する冷却ユニットと、該冷却ユニットで冷却している冷却水に浸漬され、管内を通流させた飲料を冷却水との熱交換により冷却する飲料冷却パイプを備え、該飲料冷却パイプを通流させて冷却した飲料を注出する飲料ディスペンサにおいて、
前記冷却水槽に冷却水を補給するための冷却水補給部と、前記冷却ユニットを制御して冷却水を所定の温度に維持する電気部品を配置した電気部品配置部と、を仕切り、前記冷却水補給部から補給した冷却水から前記電気部品を防水する防水板を設けたことを特徴とする飲料ディスペンサ。
【請求項２】
前記防水板は、前記電気部品配置部側に傾斜させて上方に延長されていることを特徴とする請求項１記載の飲料ディスペンサ。
【請求項３】
前記冷却水を攪拌するアジテータモータの取付台と前記防水板を一体構造としたことを特徴とする請求項１または２記載の飲料ディスペンサ。
【発明の詳細な説明】
【技術分野】
【０００１】
本発明は、飲料ディスペンサに関し、特に、飲料ディスペンサで注出する飲料を冷却する冷却水槽の構造に関するものである。
【背景技術】
【０００２】
たとえば、飲料を冷却して注出する飲料ディスペンサでは、ディスペンサ本体をコンパクトにすることが求められている。そのため、冷却水槽に貯留している冷却水を攪拌するアジテータモータや冷却水を冷却するエバポレータパイプ（蒸発器）の表面に着氷した氷塊を所定の厚さに維持して冷却水を常に所定の温度にするアイスバンク制御を行う電気部品が冷却水槽に冷却水を補給する冷却水補給部に隣接する冷却水槽上部の狭い空間に配設されている（例えば、特許文献１参照）。
【特許文献１】特開２００２−３０２１９７号公報
【発明の開示】
【発明が解決しようとする課題】
【０００３】
このような飲料ディスペンサでは、冷却水槽上部の狭い空間に冷却水補給部と電気部品とが隣接して配設されているために、冷却水の補給時に誤って電気部品に水をかけてしまうことがあった。
【０００４】
本発明は、上記実情に鑑みて、冷却水槽へ冷却水を補給時に電気部品へ水がかかることを防止して、冷却水の補給を容易に行うことができる飲料ディスペンサを提供することを目的とする。
【課題を解決するための手段】
【０００５】
上記目的を達成するため、本発明の請求項１に係る飲料ディスペンサは、冷却水槽に貯留している冷却水を冷却する冷却ユニットと、該冷却ユニットで冷却している冷却水に浸漬され、管内を通流させた飲料を冷却水との熱交換により冷却する飲料冷却パイプを備え、該飲料冷却パイプを通流させて冷却した飲料を注出する飲料ディスペンサにおいて、
前記冷却水槽に冷却水を補給するための冷却水補給部と、前記冷却ユニットを制御して冷却水を所定の温度に維持する電気部品を配置した電気部品配置部と、を仕切り、前記冷却水補給部から補給した冷却水から前記電気部品を防水する防水板を設けたことを特徴とする。
【０００６】
また、本発明の請求項２に係る飲料ディスペンサは、上述した請求項１において、前記防水板は、前記電気部品配置部側に傾斜させて上方に延長されていることを特徴とする。
【０００７】
また、本発明の請求項３に係る飲料ディスペンサは、上述した請求項１または２において、前記冷却水を攪拌するアジテータモータの取付台と前記防水板を一体構造としたことを特徴とする。
【発明の効果】
【０００８】
請求項１の発明によれば、冷却水槽に冷却水を補給するための冷却水補給部と、冷却ユニットを制御して冷却水を所定の温度に維持する電気部品を配置した電気部品配置部と、を仕切り、冷却水補給部から補給した冷却水から電気部品を防水する防水板を設けたので、冷却水槽へ冷却水を補給時に電気部品へ水がかかることを防止して、冷却水の補給を容易に行うことができる飲料ディスペンサを実現することが可能となる。
【０００９】
また、請求項２の発明によれば、防水板を電気部品配置部側に傾斜させて上方に延長したので、冷却水補給部の開口を大きくすることができ、電気部品へ水がかかることを防止すると共に、給水スペースを大きくすることができ、冷却水の補給が容易になる。
【００１０】
また、請求項３の発明によれば、冷却水を攪拌するアジテータモータの取付台と防水板を一体構造としたので、部品点数を増やすことなく、安価に防水構造とすることができる。
【発明を実施するための最良の形態】
【００１１】
以下に添付図面を参照して、本発明に係る飲料ディスペンサの好適な実施の形態について詳細に説明する。
【００１２】
図１は、本発明の実施の形態である飲料ディスペンサの外観を示し、（ａ）は正面図、（ｂ）は側面図、（ｃ）は天面図である。図に示すように、ビールなどの飲料を冷却して注出する飲料ディスペンサ１は天板２と側板３で外装板を構成し、天板２は常時は側板３の天面開口に被せて取り付けられることにより開口を閉塞し、冷却水槽に冷却水を補給するときに取り外すことができるようにしている。飲料ディスペンサ１の内部には、冷却水を貯留する冷却水槽、冷却水を攪拌するアジテータモータ、冷却水に浸漬したエバポレータパイプ、エバポレータパイプの表面に着氷した氷塊を所定の厚さに維持して冷却水を常に所定の温度にするアイスバンク制御を行う電気部品、コンプレッサ、コンデンサ、コンデンサを冷却する送風ファンモータなどが設けられている。
【００１３】
また、側板３の前面（正面）には、冷却水に浸漬した飲料冷却パイプ（飲料冷却管）の注出側端部に連通する飲料注出バルブ４が取り付けてある。飲料注出バルブ４は操作レバー４ａを揺動操作すると、これに従動する弁機構を開いて、例えば、ビール飲料の場合には飲料冷却パイプを通流して冷やされたビールが注出ノズル４ｂから注出される。飲料注出バルブ４の下方には、簀の子５ａを設けたドレン皿５が取り付けられ、注出ノズル４ｂから滴下する飲料を受容するとともに、ビールジョッキなどの容器を載置することができる。
【００１４】
図２は図１のＡ−Ａ部を矢印方向に見た飲料ディスペンサ１の断面側面図である。図に示すように、冷却水１１を貯留する冷却水槽１２は、側面および底面を断熱壁１２ａで構成し、その上端を開口した略直方体の水槽であり、この冷却水１１にはエバポレータパイプ（蒸発器）１３が浸漬されている。また冷却水槽１２の後部（図中、右側）には、コンプレッサ（圧縮機）１４、コンデンサ（凝縮器）１５、コンデンサ１５を冷却する送風ファンモータ１６などで構成する冷却ユニット１７が設けられている。エバポレータパイプ１３は、コイル状に巻回されて冷却水槽１２に貯留している冷却水１１に浸漬して配設され、管内を流れる冷媒の蒸発熱でその周囲にアイスバンク（氷魂）を形成し、アイスバンクの蓄熱量を利用して冷却水１１の温度を略０℃に保つようにしている。
【００１５】
このコイル状に巻回されたエバポレータパイプ１３の内側には、ステンレス製の飲料冷却パイプ１８がコイル状に巻回されて冷却水１１に浸漬して配設され、この飲料冷却パイプ１８の供給側端部は飲料ディスペンサ１の外部に延出されてビール貯蔵タンク（図示せず）に連通し、図示しない炭酸ガスボンベから供給される炭酸ガスの圧力でビール貯蔵タンクから押し出されたビールが飲料冷却パイプ１８に供給され、飲料冷却パイプ１８の注出側端部に連通する飲料注出バルブ４の操作レバー４ａを揺動操作すると、従動する弁機構を開いて、飲料冷却パイプ１８を通流して冷却水１１との熱交換により冷やされたビールが注出ノズル４ｂから注出される。
【００１６】
断熱壁１２ａ上端部には、冷却水を攪拌する攪拌羽根を備えたアジテータモータ２１やエバポレータパイプ１３の表面に着氷した氷塊を所定の厚さに維持して冷却水１１の温度を略０℃に保つアイスバンク制御を行う電気部品２２（アジテータモータ２１や電気部品２２が配置されて電気部品配置部を構成する）が取り付けられた取付台２３ａがビス２４で固定され、取付台２３ａの一端（図中、冷却水補給部２５側）をアジテータモータ２１側に鋭角（例えば、８０°）に折り曲げ傾斜させて上方に延長して防水板２３を構成する。
【００１７】
このように、冷却水補給部２５と電気部品配置部との間を仕切る防水板２３を設けたことにより、冷却水補給部２５とアジテータモータ２１や電気部品２２とを仕切って分けることができ、天板２を取り外して冷却水補給部２５から冷却水槽１２へ冷却水１１を補給する際にアジテータモータ２１や電気部品２２へ水がかかることを防止することができる。
【００１８】
また、防水板２３をアジテータモータ２１側に鋭角に折り曲げ傾斜させて上方に延長して構成したので、冷却水補給部２５の開口を大きくすることができ、アジテータモータ２１や電気部品２２へ水がかかることを防止すると共に、給水スペースを大きくすることができるので、冷却水の補給が容易となる。
【００１９】
さらに、防水板２３をアジテータモータ２１の取付台２３ａと一体構造とすることにより、部品点数を増やすことなく、安価に防水構造とすることができる。
【図面の簡単な説明】
【００２０】
【図１】本発明の実施の形態である飲料ディスペンサの外観を示す図である。
【図２】図１のＡ−Ａ部を矢印方向に見た飲料ディスペンサの断面側面図である。
【符号の説明】
【００２１】
１      飲料ディスペンサ
２      天板
３      側板
４      飲料注出バルブ
５      ドレン皿
１１      冷却水
１２      冷却水槽
１２ａ    断熱壁
１３      エバポレータパイプ
１４      コンプレッサ
１５      コンデンサ
１６      送風ファンモータ
１７      冷却ユニット
１８      飲料冷却パイプ
２１      アジテータモータ
２２      電気部品
２３      防水板
２３ａ    取付台
２４      ビス
２５      冷却水補給部
【図１】
2007253983.tif 000003
【図２】
2007253983.tif 000004